(57)【要約】【課題】独特の各種サービス（第一の手段〜第七の手段）を人形類等に任意に加えることができ、その結果、オリジナル性が高く、豪華で、興趣に富み、より心が籠った人形類等を販売できるような人形類等の販売システムを提供する。【解決手段】第一の手段１と、第二の手段２と、第三の手段３と、第四の手段４と、第五の手段５と、第六の手段６と、第七の手段７とを夫々設け、これらの各手段を人形類等に適宜選択して組合せて販売する。【選択図】図１
2008021223.tif 000002
【特許請求の範囲】
【請求項１】
雛人形や五月人形等の人形類や、鎧や、兜や、台座や、櫃等の適宜位置に、贈られる子供の名前及び生年月日を入れた名入れプレートを固定する第一の手段と、人形類の顔部を覆って保護できるように形成される顔紙を提供する第二の手段と、人形類を個別に収納して保護できるように形成される人形収納袋を提供する第三の手段と、書家による直筆の書入り木製板を提供する第四の手段と、人形類を個別に収納して保護できるように形成される桐製の箱を提供する第五の手段と、人形類や、鎧や、兜や、櫃等の適宜位置に、家紋を入れたプレートを固定する第六の手段と、人形類等を清掃する掃けや手袋等が組合された清掃キットを提供する第七の手段とを夫々設け、これらの各手段を人形類等に適宜選択して組合せて販売することを特徴とした人形類等の販売システム。
【請求項２】
雛人形や五月人形等の人形類や、鎧や、兜や、台座や、櫃等の適宜位置に、贈られる子供の名前及び生年月日を入れた名入れプレートを固定するサービスを表す第一の表示と、人形類の顔部を覆って保護できるように形成される顔紙を提供するサービス手段を表す第二の表示と、人形類を個別に収納して保護できるように形成される人形収納袋を提供するサービスを表す第三の表示と、書家による直筆の書入り木製板を提供するサービスを表す第四の表示と、人形類を個別に収納して保護できるように形成される桐製の箱を提供するサービスを表す第五の表示と、人形類や、鎧や、兜や、櫃等の適宜位置に、家紋を入れたプレートを固定するサービスを表す第六の表示と、人形類等を清掃する掃けや手袋等が組合された清掃キットを提供するサービスを表す第七の表示とを夫々形成し、これらの各表示及びその内容を詳細に説明する説明欄をカタログ等に設けるように構成したことを特徴とする人形類等の販売システムに於けるサービス表示。
【発明の詳細な説明】
【技術分野】
【０００１】
本発明は、主に、雛人形や五月人形やその他の適宜人形類等を販売する際に、独特の各種サービスを人形類等に任意に加えて、オリジナル性が高く、豪華で、興趣に富み、心が籠った人形類等を販売できるようにすると共に、これらのサービスが理解し易いように工夫した人形類等の販売システム及びそのシステムに於けるサービス表示に関するものである。
【背景技術】
【０００２】
従来、この種の人形類等を販売する場合に於いて、例えば、本願出願人によって特許文献１に示されているような慶事物品等のメモリアルプレート装置が既に提案されている。
これは、節句人形、人形台座、屏風、飾り壇、ケース、収納箱、段布、羽子板、破魔弓、その他記念となる贈り物の如き適宜慶事物品に装着されるメモリアルプレート装置であって、慶事物品の任意の位置に適宜取付手段を介して装着される額縁プレートと、この額縁プレートの表面に適宜接着手段等を介して固着される表示プレートとを備え、この表示プレートの表面に、氏名、生年月日、メッセージ、贈り主等の適宜表示からなる表示部を形成したものである。
【０００３】
【特許文献１】実用新案登録第３１１３６３７号公報
【発明の開示】
【発明が解決しようとする課題】
【０００４】
ところが、前述の如き慶事物品等のメモリアルプレート装置にあっては、人形類等に加えられるサービスが一種類だけとなり、興趣性等が若干物足りないという声が聞かれ始めるようになってきた。
そこで、本発明は、独特の各種サービスを人形類等に任意に加えられて、オリジナル性が高く、豪華で、興趣に富み、より心が籠った人形類等を販売できるようにすると共に、これらのサービスがより理解し易くなるようにすべく創出されたものである。
【課題を解決するための手段】
【０００５】
しかして、前述の如き課題等を達成すべく、請求項１記載の人形類等の販売システムにあっては、雛人形や五月人形等の人形類や、鎧や、兜や、台座や、櫃等の適宜位置に、贈られる子供の名前及び生年月日を入れた名入れプレートを固定する第一の手段１と、人形類の顔部を覆って保護できるように形成される顔紙を提供する第二の手段２と、人形類を個別に収納して保護できるように形成される人形収納袋を提供する第三の手段３と、書家による直筆の書入り木製板を提供する第四の手段４と、人形類を個別に収納して保護できるように形成される桐製の箱を提供する第五の手段５と、人形類や、鎧や、兜や、櫃等の適宜位置に、家紋を入れたプレートを固定する第六の手段６と、人形類等を清掃する掃けや手袋等が組合された清掃キットを提供する第七の手段７とを夫々設け、これらの各手段を人形類等に適宜選択して組合せて販売する手段を採用した。
【０００６】
また、請求項２記載の人形類等の販売システムに於けるサービス表示にあっては、雛人形や五月人形等の人形類や、鎧や、兜や、台座や、櫃等の適宜位置に、贈られる子供の名前及び生年月日を入れた名入れプレートを固定するサービスを表す第一の表示１ａと、人形類の顔部を覆って保護できるように形成される顔紙を提供するサービス手段を表す第二の表示２ａと、人形類を個別に収納して保護できるように形成される人形収納袋を提供するサービスを表す第三の表示３ａと、書家による直筆の書入り木製板を提供するサービスを表す第四の表示４ａと、人形類を個別に収納して保護できるように形成される桐製の箱を提供するサービスを表す第五の表示５ａと、人形類や、鎧や、兜や、櫃等の適宜位置に、家紋を入れたプレートを固定するサービスを表す第六の表示６ａと、人形類等を清掃する掃けや手袋等が組合された清掃キットを提供するサービスを表す第七の表示７ａとを夫々形成し、これらの各表示及びその内容を詳細に説明する説明欄１２をカタログ等に設けるように構成する手段を採用した。
【発明の効果】
【０００７】
従って、本発明の請求項１記載の人形類等の販売システムによれば、独特の各種サービス（第一の手段１〜第七の手段７）を人形類等に任意に加えられるようになり、その結果、オリジナル性が高く、豪華で、興趣に富み、より心が籠った人形類等を販売できるようになった。
【０００８】
また、本発明の請求項２記載の人形類等の販売システムに於けるサービス表示によれば、前述の如き請求項１の独特の各種サービス（第一の手段１〜第七の手段７）が、各種表示（第一の表示１ａ〜第七の表示７ａ）や夫々の説明欄１２から容易に理解できるようになる。
しかも、これらは、カタロク等に簡単に設けられるようになり、購入者１１がより理解し易いものとなる。
【発明を実施するための最良の形態】
【０００９】
以下、本発明を図示例に基づいて説明すると、次の通りである。
本発明の人形類等の販売システムは、雛人形や五月人形等の人形類や、鎧や、兜や、台座や、櫃等の適宜位置に、贈られる子供の名前及び生年月日を入れた名入れプレートを固定する第一の手段１と、人形類の顔部を覆って保護できるように形成される顔紙を提供する第二の手段２と、人形類を個別に収納して保護できるように形成される人形収納袋を提供する第三の手段３と、書家による直筆の書入り木製板を提供する第四の手段４と、人形類を個別に収納して保護できるように形成される桐製の箱を提供する第五の手段５と、人形類や、鎧や、兜や、櫃等の適宜位置に、家紋を入れたプレートを固定する第六の手段６と、人形類等を清掃する掃けや手袋等が組合された清掃キットを提供する第七の手段７とを夫々設ける。
そして、これらの各手段を人形類等に適宜選択して組合せて販売することにより、前述の如き課題を達成できるようにしたものである。
【００１０】
また、本発明の人形類等の販売システムに於けるサービス表示は、雛人形や五月人形等の人形類や、鎧や、兜や、台座や、櫃等の適宜位置に、贈られる子供の名前及び生年月日を入れた名入れプレートを固定するサービスを表す第一の表示１ａと、人形類の顔部を覆って保護できるように形成される顔紙を提供するサービス手段を表す第二の表示２ａと、人形類を個別に収納して保護できるように形成される人形収納袋を提供するサービスを表す第三の表示３ａと、書家による直筆の書入り木製板を提供するサービスを表す第四の表示４ａと、人形類を個別に収納して保護できるように形成される桐製の箱を提供するサービスを表す第五の表示５ａと、人形類や、鎧や、兜や、櫃等の適宜位置に、家紋を入れたプレートを固定するサービスを表す第六の表示６ａと、人形類等を清掃する掃けや手袋等が組合された清掃キットを提供するサービスを表す第七の表示７ａとを夫々形成する。
そして、これらの各表示及びその内容を詳細に説明する説明欄１２をカタログ等に設けるように構成したことにより、前述の如き課題を達成できるようにしたものである。
【実施例】
【００１１】
前記第一の手段１は、例えば、雛人形や五月人形等の人形類や、鎧や、兜や、台座や、櫃等の適宜位置に、贈られる子供の名前及び生年月日を入れた名入れプレートを固定する手段である。
【００１２】
前記第二の手段２は、例えば、人形類の顔部を覆って保護できるように形成される顔紙を提供する手段である。
【００１３】
前記第三の手段３は、例えば、人形類を個別に収納して保護できるように形成される人形収納袋を提供する手段である。
【００１４】
前記第四の手段４は、例えば、書家による直筆の書入り木製板を提供する手段である。
【００１５】
第五の手段５は、例えば、人形類を個別に収納して保護できるように形成される桐製の箱を提供する手段である。
【００１６】
前記第六の手段６は、例えば、人形類や、鎧や、兜や、櫃等の適宜位置に、家紋を入れたプレートを固定する手段である。
【００１７】
前記第七の手段７は、例えば、人形類等を清掃する掃けや手袋等が組合された清掃キットを提供する手段である。
【００１８】
すなわち、前記のような各手段、或いは、その他の手段を、人形類等に適宜選択して組合せて販売するようなシステムとなっている。
【００１９】
前記商品群１０は、例えば、雛人形や五月人形等の人形類や、鎧や、兜等が主な商品となるが、加えて、台座や、櫃等や、人形類の顔部を覆って保護できるように形成される顔紙や、人形類を個別に収納して保護できるように形成される人形収納袋や、書入り木製板や、人形類を個別に収納して保護できるように形成される桐製の箱や、家紋を入れたプレートや、人形類等を清掃する掃けや手袋等が組合された清掃キット等や、その他のものを含むことができるものである。
【００２０】
すなわち、前記のような各手段、或いは、その他の手段を、前記のような商品群１０に適宜選択して組合せて販売するようなシステムとなっている。
【００２１】
また、人形類等の販売システムに於けるサービス表示は、例えば、商品カタログ等に表示されるものである。
そして、サービス表示の前記第一の表示１ａは、例えば、雛人形や五月人形等の人形類や、鎧や、兜や、台座や、櫃等の適宜位置に、贈られる子供の名前及び生年月日を入れた名入れプレートを固定するサービスを表すものである。
【００２２】
前記第二の表示２ａは、例えば、人形類の顔部を覆って保護できるように形成される顔紙を提供するサービス手段を表すものである。
【００２３】
前記第三の表示３ａは、例えば、人形類を個別に収納して保護できるように形成される人形収納袋を提供するサービスを表すものである。
【００２４】
前記第四の表示４ａは、例えば、書家による直筆の書入り木製板を提供するサービスを表すものである。
【００２５】
前記第五の表示５ａは、例えば、人形類を個別に収納して保護できるように形成される桐製の箱を提供するサービスを表すものである。
【００２６】
前記第六の表示６ａは、例えば、人形類や、鎧や、兜や、櫃等の適宜位置に、家紋を入れたプレートを固定するサービスを表すものである。
【００２７】
前記第七の表示７ａは、例えば、人形類等を清掃する掃けや手袋等が組合された清掃キットを提供するサービスを表すものである。
【００２８】
更に、前記説明欄１２は、例えば、前述のような各表示（第一の表示１ａ〜第七の表示７ａ）や、或いは、その他の適宜表示の内容をより詳細に説明するように設けられたもので、この説明欄１２は、各表示（第一の表示１ａ〜第七の表示７ａ）の近傍（下方）に配されるようにしてある。
【００２９】
図中１３は、例えば、各表示（第一の表示１ａ〜第七の表示７ａ）の近傍（左がわ）に配されるマークで、このマーク１３は、例えば、前述のような各表示（第一の表示１ａ〜第七の表示７ａ）に対応するように配されており、本発明のサービス表示及び販売システムを表す象徴的なものとして表示されるようになっている。
【００３０】
ところで、前述の各手段（第一の手段１〜第七の手段７）を人形類等の商品群１０に適宜選択して組合せて販売する際、販売店のがわで予めその組合せを決めておいても良いし、或いは、購入者１１が自由に組合せられるようにしても良い。
【００３１】
尚、各手段（第一の手段１〜第七の手段７）の具体的内容、各表示（第一の表示１ａ〜第七の表示７ａ）の具体的構成、形状、寸法、配設位置、数、商品群１０の具体的構成、各説明欄１２の具体的内容、構成、形状、寸法、配設位置、数、マーク１３の具体的構成、形状、寸法、配設位置、数等は図示例のもの等に限定されることなく適宜自由に設定、変更できるものである。
【図面の簡単な説明】
【００３２】
【図１】本発明の人形類等の販売システムを例示する概略図である。
【図２】本発明の人形類等の販売システムに於けるサービス表示を例示する正面図である。
【符号の説明】
【００３３】
１      第一の手段
２      第二の手段
３      第三の手段
４      第四の手段
５      第五の手段
６      第六の手段
７      第七の手段
１ａ    第一の表示
２ａ    第二の表示
３ａ    第三の表示
４ａ    第四の表示
５ａ    第五の表示
６ａ    第六の表示
７ａ    第七の表示
１０    商品群
１１    購入者
１２    説明欄
１３    マーク
【図１】
2008021223.tif 000003
【図２】
2008021223.tif 000004